(57)【要約】      （修正有）【課題】簡易な構造で、取付が簡単かつ汎用性のある戸当り装置を提供する。【解決手段】戸当り装置は、開き扉８０の上面又は上部扉面に、扉面方向へ延設して固定された戸当り本体１と、開き扉８０の全開により戸当り本体１が当接する壁９０に設けられた戸当り受体８とを備えている。戸当り本体１は、開き扉８０に固着する支持杆１０と、支持杆１０の先端に取り付けられた磁石部材２１とを有する。支持杆１０は、開き扉８０に固着する取付け片と該取付け片の先端から立設された垂直片とからなる。戸当り受体８は、磁石部材２１を吸着する磁性体を備えている。【選択図】図２
2014020117.tif 000002
【特許請求の範囲】
【請求項１】
開き扉の上面又は上部扉面に、扉面方向へ延設して固定された戸当り本体と、該開き扉の全開により該戸当り本体が当接する、壁に設けられた戸当り受体と、を備えた戸当り装置であって、
前記戸当たり本体は、前記開き扉に固着する支持杆と、該支持杆の先端に取り付けられた磁石部材と、を有し、
前記戸当たり受体は、前記磁石部材を吸着する磁性体を備えることを特徴とする戸当り装置。
【請求項２】
前記支持杆は、前記開き扉に固着する取付け片と該取付け片の先端から立設された垂直片とからなる請求項１に記載の戸当り装置。
【請求項３】
前記磁石部材は、前記支持杆の先端に当接する弾性部材と、該弾性部材に当接する磁石とからなる請求項１又は２に記載の戸当り装置。
【請求項４】
更に、前記磁石部材を被覆する弾性カバー部材が装着されている請求項１乃至３のうちのいずれか１項に記載の戸当り装置。
【請求項５】
前記磁石部材は、前記支持杆の先端に底部を当接固着した有底筒体の弾性部材と、該有底筒体の弾性部材に内包固着された磁石とからなる請求項１又は２に記載の戸当たり装置。
【請求項６】
前記取付け片は長尺の板状部と該板状部に接続した断面Ｕ字形の曲面部とからなる請求項１乃至５のうちのいずれか１項に記載の戸当り装置。
【請求項７】
前記戸当たり受体は、前記壁に固着された板状体、螺子、又は釘である請求項１乃至６のうちのいずれか１項に記載の戸当り装置。
【請求項８】
前記戸当たり受体は、前記壁の表層付近に埋設されている請求項１乃至７のうちのいずれか１項に記載の戸当り装置。
【発明の詳細な説明】
【技術分野】
【０００１】
本発明は戸当りに関し、更に詳しくは、簡易な構造で、取付が簡単かつ汎用性のある戸当り装置に関する。
【背景技術】
【０００２】
一般の建物に多く設置されている開き扉は、扉の片側を蝶番で軸支し、水平方向に回動して閉開を行うものである。
しかしながら、勢いよく扉を開けたり、風で煽られたりした場合には、扉やドアノブが壁に接触し、内装材を傷つけるケースが少なくない。また、扉を全開したままの状態を保持しておきたい場合も生ずる。このため、戸当りが用いられている。戸当りとは、戸を開いた際にドアノブが壁などにあたって壁を傷つけるのを防ぐためにドア等に取り付けられる金物のことである。
しかし、従来の戸当りは、壁際の床面に突出して設けてられており、床面を掃除する際の邪魔となっていた。また、煽り止めを掛止具に掛止しなければならず、手間がかかっていた。
ここで、可動式の戸当り装置が提案されている（例えば、特許文献１参照。）。この戸当り装置は、扉を所定の位置まで開いたときに、可動磁着部材が作動して扉を停止させる戸当り装置であり、閉扉時には、可動磁着部材は収容部に収容されているため、扉の停止に手間もかからない。
【先行技術文献】
【特許文献】
【０００３】
【特許文献１】特開平１０−１１５１３９号
【発明の概要】
【発明が解決しようとする課題】
【０００４】
しかし、特許文献１に記載の戸当り装置は、床面に設けられた戸当り具がワックス油や砂鉄まじりのゴミの付着により機能しなくなる場合がある。また、素人には取付や補修が困難である。
【０００５】
本発明は、前記の問題を解決するものであり、簡易な構造で、取付が簡単かつ汎用性のある戸当り装置を提供することを目的とする。
【課題を解決するための手段】
【０００６】
本発明は以下の通りである。
１．開き扉の上面又は上部扉面に、扉面方向へ延設して固定された戸当り本体と、該開き扉の全開により該戸当り本体が当接する、壁に設けられた戸当り受体と、を備えた戸当り装置であって、
前記戸当たり本体は、前記開き扉に固着する支持杆と、該支持杆の先端に取り付けられた磁石部材と、を有し、
前記戸当たり受体は、前記磁石部材を吸着する磁性体を備えることを特徴とする戸当り装置。
２．前記支持杆は、前記開き扉に固着する取付け片と該取付け片の先端から立設された垂直片とからなる１．に記載の戸当り装置。
３．前記磁石部材は、前記支持杆の先端に当接する弾性部材と、該弾性部材に当接する磁石とからなる１．又は２．に記載の戸当り装置。
４．更に、前記磁石部材を被覆する弾性カバー部材が装着されている１．乃至３．のうちのいずれか１項に記載の戸当り装置。
５．前記磁石部材は、前記支持杆の先端に底部を当接固着した有底筒体の弾性部材と、該有底筒体の弾性部材に内包固着された磁石とからなる１．又は２．に記載の戸当たり装置。
６．前記取付け片は長尺の板状部と該板状部に接続した断面Ｕ字形の曲面部とからなる１．乃至５．のうちのいずれか１項に記載の戸当り装置。
７．前記戸当たり受体は、前記壁に固着された板状体、螺子、又は釘である１．乃至６．のうちのいずれか１項に記載の戸当り装置。
８．前記戸当たり受体は、前記壁の表層付近に埋設されている１．乃至７．のうちのいずれか１項に記載の戸当り装置。
【発明の効果】
【０００７】
１．本発明の戸当り装置は、開き扉の上面又は上部扉面に、扉面方向へ延設して固定された戸当り本体と、該開き扉の全開により該戸当り本体が当接する、壁に設けられた戸当り受体とを備えている。そのため、扉の上方の構造であるため、扉面の下方に取り付け構造を設ける必要がない。
したがって、本発明の戸当り装置を取り付けることによって、扉付近の床面の清掃、ワックスがけ等に支障をきたすことがない。
更に、扉と床の落差があったり、床がじゅうたん、カーペット、コンクリート製であったとしても、これら下方への配慮を全く必要とせずに、取り付け可能である。
また、戸当たり本体は、開き扉に固着する支持杆と支持杆の先端に取り付けられた磁石部材と、を有し、戸当り受体は、磁石部材を吸着する磁性体を備えているため、簡易な構造で、取付が簡単かつ汎用性がある。
２．支持杆が、開き扉に固着する取付け片と取付け片の先端から立設された垂直片とからなる場合にも、簡易な構造で、取付が簡単かつ汎用性がある。
３．磁石部材が、支持杆の先端に当接する弾性部材と、弾性部材に当接する磁石とからなる場合には、弾性部材が壁への衝撃を吸収することができる。
４．更に、磁石部材を被覆する弾性カバー部材が装着されていれば、壁が傷つくのを防ぐことができる。
５．磁石部材が、支持杆の先端に底部を当接固着した有底筒体の弾性部材と、有底筒体の弾性部材に内包固着された磁石とからなる場合にも、壁への衝撃を吸収することができる。
６．取付け片は長尺の板状部と板状部に接続した断面Ｕ字形の曲面部とからなる場合には、断面Ｕ字形の曲面部が、壁への衝撃を吸収することができる。
７．戸当たり受体が、壁に固着された板状体、螺子、又は釘である場合には、簡易な構造で、取り付けが簡単である。
８．戸当たり受体が、壁の表層付近に埋設されている場合には、壁面の美観を損ねることなく、戸当り装置の機能を発揮することができる。
【図面の簡単な説明】
【０００８】
【図１】本発明の実施形態に係り、戸当り本体の分解斜視図である。
【図２】本発明の実施形態に係り、（ａ）は、戸当り受体が、壁面の表層付近に埋設されている例、（ｂ）は、戸当り受体が、壁の表面に固着されている例、（ｃ）は、戸当り受体が、壁の表面に固着された螺子の例である。
【図３】本発明の実施形態に係り、磁石部材が、垂直片に当接する弾性部材と、弾性部材に当接する磁石とからなる例について、（ａ）は、戸当り本体の分解斜視図、（ｂ）は、その断面図である。
【図４】本発明の実施形態に係り、磁石部材が、垂直片に当接する弾性部材と、弾性部材に当接する磁石とからなる例について、（ａ）は、戸当り本体の分解斜視図、（ｂ）は、その断面図である。
【図５】本発明の実施形態に係り、取付け片が、長尺の板状部断面Ｕ字形の曲面部とからなる例の斜視図である。
【図６】本発明の実施形態に係り、支持杆が棒状体からなる例を示す斜視図である。
【図７】本発明の実施形態に係り、戸当り装置の使用例を示す説明図である。
【発明を実施するための形態】
【０００９】
以下、図１〜６を参照しながら本発明を詳しく説明する。尚、本発明は、かかる図に記載された具体例に示すものに限られず、目的、用途に応じて種々変更したものとすることができる。
本発明の戸当り装置は、例えば、図６に示すように、開き扉８０の上面８０ａ又は上部扉面に、扉面８０ｂ方向へ延設して固定された戸当り本体１と、開き扉９０の全開により戸当り本体１が当接する、壁に設けられた戸当り受体５とを備えている。
［１］戸当り本体
戸当り本体は、図１に示す戸当り本体１のように、開き扉に固着する取付け片１１と取付け片１１の先端から立設された垂直片１２とからなる支持杆１０と、垂直片１２に取り付けられた磁石部材２０と、を有する。
【００１０】
支持杆１０は、取付け片１１と取付け片１１の先端から立設された垂直片１２とからなる。取付け片１１は、長尺の板状からなり、段差を有する係止部１１ａを有していることが好ましい。段差により、開き扉の上面８０ａに確実に係止することができる。係止に際しては、係止孔１１ｂを介して、木ネジ７５により固定することができる。
【００１１】
また、開き扉８０の上部扉面８０ｂに固定する場合には、係止部１１ａを、垂直片１２と平行になるように、取付け片１１に対して立設する形状とすることができる。
【００１２】
垂直片１２は取付け片１１の先端から立設されて形成され、磁石部材２０Ａが取り付けられる。磁石部材２０Ａは、図１に示すように、垂直片１２に設けた取付け孔２０ａを磁石２１の固定孔２１ａにネジ７１を挿通してナット７２で固定することができる。
磁石部材は、図１に示す磁石部材２０Ａのように、磁石２１単体でも差支えないが、図３に示す、戸当り本体２に係る磁石部材２０Ｂのように、垂直片１２に当接する弾性部材２２と、弾性部材２２に当接する磁石２１とからなることもできる。こうであれば、弾性部材２２によって衝撃を吸収することができる。
なお、磁石の種類については、取り付ける開き扉の大きさ、重量等に応じて適宜選択することができるが、例えば、ネオジム磁石で直径１０〜２０ｍｍ、厚さ４〜８ｍｍの円柱状であり、吸着力４〜６ｋｇとすることができる。
【００１３】
磁石部材２０Ａ、２０Ｂを被覆する弾性カバー部材が装着されていることが好ましい。こうすることで、磁石が直接壁に接触するのを避けると共に、衝撃を吸収することができる。
【００１４】
更に、図４（ａ）に示す戸当り本体３に係る磁石部材２０Ｃのように、垂直片１２に底部を当接固着した有底筒体の弾性部材２３と、有底筒体の弾性部材２３に内包固着された磁石２１とからなることもできる。図４（ｂ）に示すように、有底筒体の弾性部材２３の筒部上面２３ａよりも磁石２１の上面２１ａが低く形成されている。このため、使用に際して、戸当り本体３の磁石２１が直接壁９０に接触するのを防ぐことができる。
【００１５】
図５に示す戸当り本体４のように、支持杆１５の取付け片１８が、長尺の板状部１６と板状部１６に接続した断面Ｕ字形の曲面部１７とからなることもできる。この構成によれば、断面Ｕ字形の曲面部が、壁への衝撃を吸収することができる。取付け片１８の材質をバネ鋼等のバネ材とすれば、更にこの効果を高めることができる。
【００１６】
図６に示す戸当り本体５は、支持杆５０と、支持杆５０の先端に取り付けられた磁石部材２０Ｃと、を有する。
支持杆５０は、図６に示すように、支持杆本体５１と支持杆増設体５２からなる棒状体であり、磁石部材２０Ｃが支持杆増設体５２に設けられた雌ネジ孔５２ａにネジ７１を螺合することによって固定される。
支持杆５０は、係止板５５の垂直面に、支持杆本体５１に設けられた雌ネジ孔５１ａにネジ５６で固定される。そして、係止板５５の水平面は開き扉の上面８０ａに、係止孔５５ａを介して木ネジ７５によって固定される。
【００１７】
支持杆増設体５２は、雌ネジ孔５２ａと対向する側に、雄ネジ５２ｂが固着されており、支持杆本体５１に設けられた雌ネジ孔５１ａに着脱自在に螺合されている。そのため、支持杆増設体５２を取り外し、支持杆本体５１に直接、磁石部材２０Ｃを雌ネジ孔５１ａにネジ７１を螺合することによって固定することもできる。
支持杆増設体５２は必要な場合に取り付けて使用することができる。
すなわち、例えば、扉面８０ｂのドアノブが大きく、開き扉８０を全開したとき、支持杆本体５１の長さが短いために、戸当り本体５が壁９０に当接しないで、ドアノブが当接する場合がある。この場合、支持杆増設体５２を取り付けて、ドアノブが壁９０当接するのを防ぐことができる。
【００１８】
また、戸当り本体５を、扉開き扉８０の上部扉面８０ｂに固定する場合には係止板５５を支持杆５０に対して垂直となるように、係止板５５の水平面を垂直面と同一平面となるよう平板状に形成して取り付けることができる。
更に、係止板５５を取り外し、開き扉８０に直接、ネジ５６で支持杆本体５１ａに取り付けることもできる。
【００１９】
［２］戸当り受体
戸当り受体は、前記磁石部材を吸着する磁性体を備えている。磁性体は磁石を吸着する部材であれば、特に限定はなく、例えば、鉄、ニッケル、クロム又はこれらの合金等とすることができる。また、形状も特に限定はなく、例えば、壁に固着された板状体、螺子、又は釘とすることができる。大きさも特に限定はないが、例えば、鉄製の板状体であれば、直径４０〜６０ｍｍ、厚さ０．２〜２ｍｍの円形の板状とすることができる。
なお、戸当り受体は、磁性体を備えていて磁石を吸着できればよく、他の部材と組み合わされていてもよい。
【００２０】
図２（ａ）に示す戸当り受体６は、壁９０の表層付近に埋設されている板状体である。こうすることで、壁面の美観を損ねることなく、戸当り装置の機能を発揮することができる。
例えば、内装工事の施工時において、壁９０の表面に鉄製の板状体を接着固定し、その上から更に壁紙９１を覆設することができる。なお、接着固定には、接着剤の他、両面テープを使用することもできる。更に接着固定後にパテ等により段差を埋めてから壁紙を貼付してもよい。また、壁紙に代えて塗装による仕上げをすることもできる。
【００２１】
また、図２（ｂ）に示す戸当り受体７は、壁紙９１の上から鉄製の板状体を接着固定したものである。
すなわち、施工後において、いわゆる後付けをすることができる。戸当り受体６の表面をデザイン化を施して壁面の美観を向上させることもできる。
【００２２】
更に、図２（ｃ）に示す戸当り受体８は、壁紙９１の上から鉄製の螺子を固着したものである。化粧螺子を使用することにより、壁面の美観を向上させることもできる。
【符号の説明】
【００２３】
１、２、３、４、５；戸当り本体、６、７；戸当り受体（板状体）、８；戸当り受体（螺子）、１０、１５、５１；支持杆、１１、１８；取付け片、１２；垂直片、１６；板状部、１７；曲面部、２０（２０Ａ、２０Ｂ、２０Ｃ）；磁石部材、２１；磁石、２２；弾性部材、２３；有底筒体の弾性部材、２５；弾性カバー部材、８０；開き扉、８０ａ；上面、８０ｂ；扉面、９０；壁
【図１】
2014020117.tif 000003
【図２】
2014020117.tif 000004
【図３】
2014020117.tif 000005
【図４】
2014020117.tif 000006
【図５】
2014020117.tif 000007
【図６】
2014020117.tif 000008
【図７】
2014020117.tif 000009